(57)【要約】【課題】揚送研磨装置の上部に手が届かなくても上部押圧カバーを容易に着脱することができ、研磨布交換作業を容易にしたパチンコ球揚送研磨装置を提供する。【解決手段】装置枠１の上下部に回転ローラ３，４を配設し、該回転ローラの間に無端状の揚送ベルト５を張架し、内面に研磨布１３ａ，１３ｂと該研磨布を押圧する弾性パッド１１ａ，１１ｂが設けられた押圧カバーを該研磨布が該揚送ベルトの上昇側表面と対向するように装着し、揚送ベルトを駆動しパチンコ球Ｐを該研磨布を介して該揚送ベルトに押し付けることにより、該パチンコ球を自転させつつ揚送するパチンコ球揚送研磨装置であって、装置枠の上端部両側縁に下向に開口する鉤状の受金具２０を突設すると共に、押圧カバーを上下に分割し、上部押圧カバー１０ａの上端部両側縁に係合ピン２３を突設し、該係合ピンを前記受金具に係合させた後、該上部押圧カバーを装置枠の前面に押し付けることにより、上部押圧カバーを着脱自在に装着する。【選択図】図６
2008067812.tif 000002
【特許請求の範囲】
【請求項１】
装置枠の上下部に回転ローラを配設し、該回転ローラの間に無端状の揚送ベルトを張架し、内面に研磨布と該研磨布を押圧する弾性パッドが設けられた押圧カバーを該研磨布が該揚送ベルトの上昇側表面と対向するように装置枠に装着し、揚送ベルトを駆動しパチンコ球を該研磨布を介して該揚送ベルトに押し付けることにより、該パチンコ球を自転させつつ揚送するパチンコ球揚送研磨装置であって、押圧カバーを上下に分割し、上部押圧カバーが着脱自在に装着されるようにしたことを特徴とするパチンコ球揚送研磨装置。
【請求項２】
装置枠の上下部に回転ローラを配設し、該回転ローラの間に無端状の揚送ベルトを張架し、内面に研磨布と該研磨布を押圧する弾性パッドが設けられた押圧カバーを該研磨布が該揚送ベルトの上昇側表面と対向するように装置枠に装着し、揚送ベルトを駆動しパチンコ球を該研磨布を介して該揚送ベルトに押し付けることにより、該パチンコ球を自転させつつ揚送するパチンコ球揚送研磨装置であって、装置枠の上端部両側縁に鉤状の受金具を突設すると共に、押圧カバーを上下に分割し、上部押圧カバーの上端部両側縁に係合ピンを突設し、該係合ピンを前記受金具に係合させた後、該上部押圧カバーを装置枠の前面に押し付けることにより、上部押圧カバーが着脱自在に装着されるようにしたことを特徴とするパチンコ球揚送研磨装置。
【請求項３】
装置枠の上下部に回転ローラを配設し、該回転ローラの間に無端状の揚送ベルトを張架し、内面に研磨布と該研磨布を押圧する弾性パッドが設けられた押圧カバーを該研磨布が該揚送ベルトの上昇側表面と対向するように装置枠に装着し、揚送ベルトを駆動しパチンコ球を該研磨布を介して該揚送ベルトに押し付けることにより、該パチンコ球を自転させつつ揚送するパチンコ球揚送研磨装置であって、装置枠の上端部両側縁に係合ピンを突設すると共に、押圧カバーを上下に分割し、上部押圧カバーの上端部両側縁に鉤状の受金具を突設し、前記係合ピンに該受金具を係合させた後、該上部押圧カバーを装置枠の前面に押し付けることにより、上部押圧カバーが着脱自在に装着されるようにしたことを特徴とするパチンコ球揚送研磨装置。
【請求項４】
装置枠の上下部に回転ローラを配設し、該回転ローラの間に無端状の揚送ベルトを張架し、内面に研磨布と該研磨布を押圧する弾性パッドが設けられた押圧カバーを該研磨布が該揚送ベルトの上昇側表面と対向するように装置枠に装着し、揚送ベルトを駆動しパチンコ球を該研磨布を介して該揚送ベルトに押し付けることにより、該パチンコ球を自転させつつ揚送するパチンコ球揚送研磨装置であって、前面に球受用カウンター板が突設されたパチンコ機設置島の内部に該パチンコ球揚送研磨装置は収容され、前記押圧カバーは該球受用カウンター板の高さ位置よりも高位置にて中央部押圧カバーと上部押圧カバーとに分割し、該中央部押圧カバーおよび上部押圧カバーを装置枠の前面にそれぞれ装着したことを特徴とするパチンコ球揚送研磨装置。
【発明の詳細な説明】
【技術分野】
【０００１】
本発明は、パチンコ機設置島の下部に貯留されたパチンコ球を上部の貯留タンクに揚送すると共に、揚送中にパチンコ球の汚れが落とされるようにしたパチンコ球揚送研磨装置に関するものである。
【背景技術】
【０００２】
パチンコ球揚送研磨装置は、下記特許文献１に示されたように、装置枠の上下部に回転ローラを配設し、該回転ローラの間に無端状の揚送ベルトを張架し、内面に研磨布と該研磨布を押圧する弾性パッドが設けられた押圧カバーを該研磨布が該揚送ベルトの上昇側表面と対向するように装着し、モータによって揚送ベルトを駆動し、パチンコ球を該研磨布を介して該揚送ベルトに押し付けることにより、該パチンコ球を自転させつつ揚送し、該研磨布との摩擦によりパチンコ球が研磨され汚れが落ちるように構成したものである。
【特許文献１】特許第３６０１９６８号公報
【発明の開示】
【発明が解決しようとする課題】
【０００３】
ところで、上記研磨布はパチンコ球の汚れが付着するために交換する必要があるが、揚送研磨装置は高さが数メートルあるので上部まで手が届かず、脚立に乗って押圧カバーを掛け外ししなければなかった。また、従来の揚送研磨装置の押圧カバーは上下に長い一体のものであったので、パチンコ機設置島の球受用カウンター板の一部も外さないと作業できない場合があった。このため、非常に作業性が悪いという問題がある。
【０００４】
また、揚送研磨装置の高さは、パチンコ機設置島の仕様によって変わることがあるが、従来の揚送研磨装置の押圧カバーは、上下に長い一本物であったので、仕様に合わせてその都度切断して設置する必要があり、そのために歩留まりが悪いという問題があると共に、無駄な在庫も多くなり生産効率もよくないという問題がある。
そこで、本発明はこのような問題点を解決しようとするものである。
【課題を解決するための手段】
【０００５】
そのために請求項１に記載したパチンコ球揚送研磨装置の発明は、装置枠の上下部に回転ローラを配設し、該回転ローラの間に無端状の揚送ベルトを張架し、内面に研磨布と該研磨布を押圧する弾性パッドが設けられた押圧カバーを該研磨布が該揚送ベルトの上昇側表面と対向するように装置枠に装着し、揚送ベルトを駆動しパチンコ球を該研磨布を介して該揚送ベルトに押し付けることにより、該パチンコ球を自転させつつ揚送するパチンコ球揚送研磨装置であって、押圧カバーを上下に分割し、上部押圧カバーが着脱自在に装着されるようにしたことを特徴とする。
また、請求項２に記載したパチンコ球揚送研磨装置の発明は、装置枠の上下部に回転ローラを配設し、該回転ローラの間に無端状の揚送ベルトを張架し、内面に研磨布と該研磨布を押圧する弾性パッドが設けられた押圧カバーを該研磨布が該揚送ベルトの上昇側表面と対向するように装置枠に装着し、揚送ベルトを駆動しパチンコ球を該研磨布を介して該揚送ベルトに押し付けることにより、該パチンコ球を自転させつつ揚送するパチンコ球揚送研磨装置であって、装置枠の上端部両側縁に鉤状の受金具を突設すると共に、押圧カバーを上下に分割し、上部押圧カバーの上端部両側縁に係合ピンを突設し、該係合ピンを前記受金具に係合させた後、該上部押圧カバーを装置枠の前面に押し付けることにより、上部押圧カバーが着脱自在に装着されるようにしたことを特徴とする。
また、請求項３に記載したパチンコ球揚送研磨装置の発明は、装置枠の上下部に回転ローラを配設し、該回転ローラの間に無端状の揚送ベルトを張架し、内面に研磨布と該研磨布を押圧する弾性パッドが設けられた押圧カバーを該研磨布が該揚送ベルトの上昇側表面と対向するように装置枠に装着し、揚送ベルトを駆動しパチンコ球を該研磨布を介して該揚送ベルトに押し付けることにより、該パチンコ球を自転させつつ揚送するパチンコ球揚送研磨装置であって、装置枠の上端部両側縁に係合ピンを突設すると共に、押圧カバーを上下に分割し、上部押圧カバーの上端部両側縁に鉤状の受金具を突設し、前記係合ピンに該受金具を係合させた後、該上部押圧カバーを装置枠の前面に押し付けることにより、上部押圧カバーが着脱自在に装着されるようにしたことを特徴とする。
また、請求項４に記載したパチンコ球揚送研磨装置の発明は、装置枠の上下部に回転ローラを配設し、該回転ローラの間に無端状の揚送ベルトを張架し、内面に研磨布と該研磨布を押圧する弾性パッドが設けられた押圧カバーを該研磨布が該揚送ベルトの上昇側表面と対向するように装置枠に装着し、揚送ベルトを駆動しパチンコ球を該研磨布を介して該揚送ベルトに押し付けることにより、該パチンコ球を自転させつつ揚送するパチンコ球揚送研磨装置であって、前面に球受用カウンター板が突設されたパチンコ機設置島の内部に該パチンコ球揚送研磨装置は収容され、前記押圧カバーは該球受用カウンター板の高さ位置よりも高位置にて中央部押圧カバーと上部押圧カバーとに分割し、該中央部押圧カバーおよび上部押圧カバーを装置枠の前面にそれぞれ装着したことを特徴とする。
【発明の効果】
【０００６】
請求項１〜３に記載した発明では、揚送研磨装置の上部に手が届かなくても上部押圧カバーを容易に着脱することができ、研磨布交換作業が容易になる。また、上部押圧カバーについて長さを適宜設定することで、パチンコ機設置島の仕様に合わせられるので、従来のような長い押圧カバーを在庫として多く用意する必要がなく歩留まりが向上し、生産性もよくなる。
請求項４に記載した発明では、球受用カウンター板を外さなくても中央部押圧カバーまたは上部押圧カバーを簡単に着脱することができ、研磨布交換作業を容易にすることができる。
【発明を実施するための最良の形態】
【０００７】
次に本発明の実施形態を図面に従い説明する。図１は本発明に係る揚送研磨装置を左上から見た斜視図、図２はこの揚送研磨装置を右上から見た斜視図、図３はこの揚送研磨装置の縦断面図、図４はこの揚送研磨装置の水平断面図、図５はこの揚送研磨装置が収容されたパチンコ機設置島の斜視図である。図中、１は基部２上に鉛直に樹立された横断面略コ字形の装置枠で、該装置枠の下部と上部にそれぞれ回転ローラ３，４が配設され、該回転ローラ間に無端状の揚送ベルト５が張架される。６は回転ローラ３を矢印の方向に回転させ揚送ベルト５を矢印の方向に駆動するモータである。基部２には球流入口７が設けられ、該球流入口にパチンコ機設置島（図５に示す）の下部に溜まったパチンコ球が集合し流入する。また、装置枠１の上端縁には球流出口８が設けられ、該球流出口から流出したパチンコ球はパチンコ機設置島上部の貯留タンク（図示せず）に貯められる。なお、９は揚送ベルト５を内側から支持するために装置枠１内に設けられたバックアップローラである。
【０００８】
装置枠１の前面に装着される押圧カバーは、上部押圧カバー１０ａと中央部押圧カバー１０ｂと下部押圧カバー１０ｃとに３分割されている。なお、図５に示したようにこの下部押圧カバー１０ｃと中央部押圧カバー１０ｂとはパチンコ機設置島の前面に突設された球受用カウンター板４０の高さ位置よりも少し上にて分割されている。また、中央部押圧カバー１０ｂと上部押圧カバー１０ａとはパチンコ機設置島の概ねランマ（幕板とも称される。）４５の高さ位置にて分割される。
そして、該各押圧カバー１０ａ〜１０ｃの内面に弾性パッド１１ａ〜１１ｃが固設される。該弾性パッド１１ａ〜１１ｃは、ポリエステル系軟質ウレタンフォームからなり、対向面に深さがパチンコ球の半径より小さい横断面円弧状の縦方向案内溝１２を複数条形成したものである。
【０００９】
１３ａ，１３ｂは厚さ１ｍｍ程度のマイクロファイバー等の強靱な織布からなる研磨布で、該研磨布は図４に示されたように両側縁に例えばロープのような厚さのある可撓性部材１４を包持することにより膨部１５を形成してなる。また、上部押圧カバー１０ａおよび中央部押圧カバー１０ｂの下縁部寄り前面に水平片持ちアーム状の引掛腕１６ａ，１６ｂを突設している。そして、研磨布１３ａ，１３ｂの長手方向の一端にスリーブ状の引掛部１７ａ，１７ｂを形成し、前記引掛腕１６ａ，１６ｂに該引掛部を挿通して該研磨布１３ａ，１３ｂを該各押圧カバー１０ａ，１０ｂの下縁から内側に引き回し、該研磨布の他端１８ａ，１８ｂを該押圧カバーの上縁から前面に回すことにより、該各押圧カバーの内側であって弾性パッド１１ａ，１１ｂの表面に該研磨布１３ａ，１３ｂが張設されるようにしている。なお、この実施形態では下部押圧カバー１０ｃには研磨布は設けられないが、上部押圧カバー１０ａや中央部押圧カバー１０ｂと同様に設けてもよい。Ｐは揚送途中にあるパチンコ球を示す。
【００１０】
また、装置枠１の上端部両側縁には図６に示し，図７，図８に拡大して示したように、下方に向けて開口する鉤状の受金具２０をそれぞれ突設し、該受金具２０より下方に少し間隔を置いた装置枠１の両側縁に前方に向けて開口する受金具２１をそれぞれ突設し、該受金具２１には該開口を開閉し得るように鉤状のフック２２が回転自在に設けられる。また、上部押圧カバー１０ａの上端部両側縁に一対の係合ピン２３を突設し、該係合ピン２１の基部にワッシャー２４を嵌着し、上部押圧カバー１０ａの下端部両側縁には一対の係合ピン２５を突設し、該係合ピン２５の基部にワッシャー２６を嵌着してなる。このため、上部押圧カバー１０ａを装置枠１に装着するに際しては、図７に示したように係合ピン２３を下方から突き上げて下方に向けて開口する受金具２０に合致させて係合状態とした後、該上部押圧カバー１０ａを装置枠１の前面に押し付け、係合ピン２５を受金具２１に合致させ、図８に示したようにフック２２を該係合ピン２５に係合させることで該係合ピン２５が受金具２１から抜け出ないようにする。
【００１１】
また、図９に示し，図１０に拡大して示したように、装置枠１の中央部の一側縁に一対の蝶番２８を設け中央部押圧カバー１０ｂを該蝶番２８によって装置枠１の中央部前面に開閉自在に設けると共に、該装置枠１の中央部の他側縁に一対の鉤状部材２９を支軸３０に枢着し、該鉤状部材２９どうしを連結杆３１の両端部に突設された連結ピン３１ａ，３１ｂを介して連結し、該連結杆３１に設けられた摘子３２を操作することにより該鉤状部材２９が仮想線で示したように回転するようにし、中央部押圧カバー１０ｂの他側縁に一対の係合ピン３３を突設してなる。このため、該中央部押圧カバー１０ｂは、図１０に示したように装置枠１の前面に押し付けて係合ピン３３に鉤状部材２９を係合させることで閉状態に保持される。なお、下部押圧カバー１０ｃはこの中央部押圧カバー１０ｂと同様に一対の蝶番３５によって装置枠１の下部前面に開閉自在に設けられ、該下部押圧カバー１０ｃの他側縁は装置枠１の下部他側縁に設けられた一対のクランプ金具３６に係脱させることで開閉可能に設けられる。
【００１２】
こうして、装置枠１の前面に押圧カバー１０ａ〜１０ｃを装着することにより、パチンコ球Ｐは弾性パッド１１ａ，１１ｂの弾性により研磨布１３ａ，１３ｂを介して（押圧カバー１０ｃの位置では弾性パッド１１ｃが直接）揚送ベルト５に押し付けられ、その状態で揚送ベルト５が上向きに駆動されることにより該パチンコ球Ｐは自転し揚送される。
【００１３】
このように構成した揚送研磨装置は、図５に示したように、パチンコ機設置島内に設けられ、球受用カウンター板４０より上部に蝶番４１ａ，４１ｂによって扉４２ａ，４２ｂがそれぞれ開閉可能に設けられる。また、球受用カウンター板４０の一部４０ａを離脱できるように構成すると共に、該球受用カウンター板４０より下部に扉４２ｃを開閉可能に設けている。なお、４３ａ〜４３ｃは扉４２ａ〜４２ｃにそれぞれ設けられた鍵である。このため、上部押圧カバー１０ａの研磨布１３ａを交換するに際しては、中央部の扉４２ｂを開け、フック２２を係脱操作すれば装置枠１の上部にまで手が届かなくても上部押圧カバー１０ａを簡単に着脱することができる。また、中央部押圧カバー１０ｂについても鉤状部材２９を係脱することにより開閉できるので、その研磨布１３ｂを簡単に交換することができる。また、扉４２ｃを開閉することにより下部押圧カバー１０ｃを開閉し弾性パッド１１ｃを交換するなどのメンテナンス作業をすることができる。
【００１４】
なお、研磨布１３ａ，１３ｂは、スリーブ状の引掛部１７ａ，１７ｂを引掛腕１６ａ，１６ｂに挿通し、押圧カバーの下縁から内側に引き回し、他端を押圧カバーの上縁から前面に回すことにより、簡単に張設でき、交換も容易となり作業性を向上させると共に、パチンコ球との摩擦により使用時に大きな引張力が掛かっても外れることなく確実な抗張力が得られる。
【００１５】
このように本発明の揚送研磨装置は、脚立に乗らなくても上部押圧カバー１０ａを下方から容易に係脱させ着脱できるので、安全に作業ができ作業効率も著しく向上する。また、中央部押圧カバー１０ｂおよび下部押圧カバー１０ｃは、装置枠１の高さに拘わらず常に同じ長さのものを装着することができ、ユニット化されるため生産性が向上する。上部押圧カバー１０ａについては装置枠１の高さに合わせて長さを変える必要があるが、従来の上下に長い一本の物と比較し短くできることから歩留まりの向上や適正在庫数を低減することができる。
【００１６】
なお、この実施形態では、押圧カバーを３分割した例を示したが、２分割し、その上部押圧カバーについてこの実施形態に示したような着脱が容易となる構造を採ることも可能である。また、押圧カバーを３分割以上に分割してもよい。
【００１７】
また、この実施形態では、装置枠１に受金具２０を設け、上部押圧カバー１０ａに係合ピン２３を設けたが、これを逆に設けてもよく、その場合、請求項３に記載したように、上部押圧カバー１０ａに上端部両側縁に上向に開口する鉤状の受金具を突設し、装置枠の上端部両側縁に突設した係合ピンに該受金具を係合させた後、該上部押圧カバーを装置枠の前面に押し付けることにより、該上部押圧カバーが着脱自在に装着されるようになる。
【図面の簡単な説明】
【００１８】
【図１】本発明に係る揚送研磨装置を左上から見た斜視図。
【図２】本発明に係る揚送研磨装置を右上から見た斜視図。
【図３】本発明に係る揚送研磨装置の縦断面図。
【図４】本発明に係る揚送研磨装置の水平断面図。
【図５】本発明に係る揚送研磨装置を設けたパチンコ機設置島の斜視図。
【図６】本発明に係る揚送研磨装置の上部押圧カバーを着脱する際の斜視図。
【図７】本発明に係る揚送研磨装置の上部押圧カバーを着脱する際の側面図。
【図８】本発明に係る揚送研磨装置の上部押圧カバーの装着状態を示す側面図。
【図９】本発明に係る揚送研磨装置の中央部押圧カバーの開閉状態を示す斜視図。
【図１０】本発明に係る揚送研磨装置の中央部押圧カバーを開閉する際の側面図。
【符号の説明】
【００１９】
１                装置枠
３，４            回転ローラ
５                揚送ベルト
６                モータ
７                球流入口
８                球流出口
１０ａ            上部押圧カバー
１０ｂ            中央部押圧カバー
１０ｃ            下部押圧カバー
１１ａ〜１１ｃ    弾性パッド
１２              縦方向案内溝
１３ａ，１３ｂ    研磨布
１５              膨部
１６ａ，１６ｂ    引掛腕
１７ａ，１７ｂ    引掛部
１８ａ，１８ｂ    研磨布の他端
２０，２１        受金具
２３，２５        係合ピン
４０              球受用カウンター板
４５              ランマ
Ｐ                パチンコ球
【図１】
2008067812.tif 000003
【図２】
2008067812.tif 000004
【図３】
2008067812.tif 000005
【図４】
2008067812.tif 000006
【図５】
2008067812.tif 000007
【図６】
2008067812.tif 000008
【図７】
2008067812.tif 000009
【図８】
2008067812.tif 000010
【図９】
2008067812.tif 000011
【図１０】
2008067812.tif 000012